(57)【要約】      （修正有）【課題】ユーザの利便性を向上させることの可能な音声再生機能付き身飾品を提供する。【解決手段】音声再生機能付き身飾品は、以下の構成要素を備えている。（１）留め具を粘着物で後付けで取り付けるのに適した略平坦な裏面１２を有する本体部１０（２）本体部１０の内部に配置される、音声再生機能を有する回路部２０（３）本体部１０の上部に配置されるキーリング部３０（４）本体部１０の表面に、印刷物６０を介して配置される透明なカバー部４０【選択図】図１
0003207971.tif 000002
【実用新案登録請求の範囲】
【請求項１】
留め具を粘着物で後付けで取り付けるのに適した略平坦な裏面を有する本体部と、
前記本体部の内部に配置される、音声再生機能を有する回路部と、
前記本体部の上部に配置されるキーリング部と、
前記本体部の表面に、印刷物を介して配置される透明なカバー部と
を備えた
音声再生機能付き身飾品。
【請求項２】
前記キーリング部は、前記本体部に対して着脱可能に固定される
請求項１に記載の音声再生機能付き身飾品。
【請求項３】
粘着シールを有する留め具をさらに備えた
請求項１または請求項２に記載の音声再生機能付き身飾品。
【請求項４】
前記本体部は、前記本体部の裏面に前記粘着シールを介して前記留め具が固定されたときに前記粘着シールによって被覆されない箇所に、前記回路部から発せられる音声の外部への通り道として機能する開口を有する
請求項３に記載の音声再生機能付き身飾品。
【考案の詳細な説明】
【技術分野】
【０００１】  本考案は、音声再生機能付き身飾品に関する。
【背景技術】
【０００２】  バッジやキーホルダーは、キャラクターグッズや記念品として用いられることが多い。そのため、バッジやキーホルダーには、製作目的に応じた印刷が施されたり、製作目的に応じた印刷物が設けられたりしている。さらに、バッジやキーホルダーの付加価値をより一層、向上させるために、製作目的に応じた音声をバッジやキーホルダーから出力させる試みもなされている。
【考案の概要】
【考案が解決しようとする課題】
【０００３】  近年、キーホルダーとしても用いることの可能なバッジが登場している。しかし、そのようなバッジには、ピンやクリップなどの留め具だけでなく、キーリングも設けられているので、ユーザが留め具やキーリングを邪魔に感じることもある。本考案は、かかる問題点に鑑みてなされたもので、その目的は、ユーザの利便性を向上させることの可能な音声再生機能付き身飾品を提供することにある。
【課題を解決するための手段】
【０００４】  本考案の一実施の形態の音声再生機能付き身飾品は、以下の構成要素を備えている。
（１）留め具を粘着物で後付けで取り付けるのに適した略平坦な裏面を有する本体部
（２）本体部の内部に配置される、音声再生機能を有する回路部
（３）本体部の上部に配置されるキーリング部
（４）本体部の表面に、印刷物を介して配置される透明なカバー部【０００５】  本考案の一実施の形態の音声再生機能付き身飾品では、ピンやクリップなどの留め具が本体部に後付けで取り付けられるようになっている。これにより、留め具を本体部に取り付けるか否かの判断をユーザが行うことができる。
【考案の効果】
【０００６】  本考案の一実施の形態の音声再生機能付き身飾品によれば、留め具を、本体部に後付けで取り付けるようになっているので、ユーザの利便性を向上させることができる。
【図面の簡単な説明】
【０００７】
【図１】（Ａ）本考案の一実施形態の音声再生機能付き身飾品の正面構成図である。（Ｂ）図１の音声再生機能付き身飾品の裏面構成図である。（Ｃ）図１の音声再生機能付き身飾品の分解斜視図である。（Ｄ）図１の音声再生機能付き身飾品に含まれる本体部および回路部の断面構成図である。
【図２】図１の音声再生機能付き身飾品に含まれる留め具の斜視構成図である。
【考案を実施するための形態】
【０００８】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【０００９】［構成］
本考案の一実施の形態に係る音声再生機能付き身飾品１の構成について説明する。図１（Ａ）は、音声再生機能付き身飾品１の正面構成を表したものである。図１（Ｂ）は、音声再生機能付き身飾品１の裏面構成を表したものである。図１（Ｃ）は、音声再生機能付き身飾品１の分解斜視構成を表したものである。図１（Ｄ）は、音声再生機能付き身飾品１に含まれる本体部１０および回路部２０の断面構成を表したものである。音声再生機能付き身飾品１は、本体部１０、回路部２０、キーリング部３０、カバー部４０および留め具５０を備えている。図２は、留め具５０の斜視構成を表したものである。なお、図１（Ａ）〜図１（Ｄ）では、便宜的に留め具５０が省略されている。
【００１０】  留め具５０は、本体部１０とは別体で設けられたものであり、例えば、安全ピンもしくはクリップを含んで構成されている。なお、図２には、留め具５０が安全ピンを含んでいる場合が例示されている。留め具５０の裏面には、平坦面が設けられており、この平坦面に粘着シール５１が貼り付けられている。粘着シール５１は、両面に粘着性を有するシールである。粘着シール５１の表面には、粘着面を保護する保護シール５２が貼り付けられている。保護シール５２は、粘着シール５１の粘着面から剥離可能なシールであり、留め具５０を本体部１０に取り付ける際には、粘着シール５１の粘着面から剥離される。留め具５０は、音声再生機能付き身飾品１の流通時には、省略されていてもよい。この場合、ユーザは、音声再生機能付き身飾品１を購入する際に、留め具５０を別途、購入してもよい。
【００１１】  本体部１０は、音声再生機能付き身飾品１の本体部分であり、回路部２０を保護する筐体としての役割を有している。本体部１０は、前面１１、裏面１２および周面１３を有している。前面１１には、カバー部４０が嵌め込まれる窪み１１Ａが設けられている。裏面１２には、例えば、回路部２０（具体的には後述のスピーカ２４）から発せられる音声の外部への通り道として機能する開口１２Ａが設けられている。開口１２Ａは、裏面１２に粘着シール５１を介して留め具５０が固定されたときに粘着シール５１によって被覆されない箇所に設けられている。つまり、裏面１２には、留め具５０を粘着物（粘着シール５１）で後付けで取り付けるのに適した略平坦な領域（取り付け領域）と、この取り付け領域に隣接する開口１２Ａが設けられている。
【００１２】  回路部２０は、本体部１０の内部に配置されている。回路部２０は、例えば、回路基板２１、ＩＣ（Ｉｎｔｅｇｒａｔｅｄ  Ｃｉｒｃｕｉｔ）２２、スイッチ２３、スピーカ２４および電池２５によって構成されている。回路基板２１には、ＩＣ２２、スイッチ２３、スピーカ２４および電池２５が実装されている。ＩＣ２２は、予め録音された音声情報を再生する機能（音声再生機能）を提供するものであり、スピーカ２４を介した音声再生を行う。スイッチ２３は、ＩＣ２２に録音された音声情報の再生処理を開始させるためのスイッチである。スピーカ２４は、ＩＣ２２から入力された音声情報を音声として出力する。電池２５は、ＩＣ２２に電力を供給する。電池２５は、音声再生機能付き身飾品１の流通時には、省略されていてもよい。この場合、ユーザは、音声再生機能付き身飾品１を購入する際に、電池２５を別途、購入してもよい。
【００１３】  キーリング部３０は、本体部１０の上部に配置されており、本体部１０に対して着脱可能に固定されている。キーリング部３０は、孔を備えた物品（例えば鍵など）の孔に挿通させ、当該物品を束ねるためのリング状部材３１と、このリング状部材３１と本体部１０の上部とを連結する鎖状部材３２とによって構成されている。鎖状部材３２の先端部分が、本体部１０に対して着脱可能に固定されている。
【００１４】  カバー部４０は、本体部１０の表面１１に、印刷物６０を介して配置される。カバー部４０は、表面１１の窪み１１Ａに嵌め込むことの可能な形状となっている。カバー部４０は、透明な部材によって構成されており、表面１１の窪み１１Ａに嵌め込んだ際に、カバー部４０を介して印刷物６０を観察者が視認できるようになっている。印刷物６０は、紙などの媒体に絵柄や図柄、文字などが印刷されたものである。印刷物６０は、表面１１の窪み１１Ａの中に配置可能な形状となっている。
【００１５】［効果］
次に、音声再生機能付き身飾品１の効果について説明する。
【００１６】  バッジやキーホルダーは、キャラクターグッズや記念品として用いられることが多い。そのため、バッジやキーホルダーには、製作目的に応じた印刷が施されたり、製作目的に応じた印刷物が設けられたりしている。さらに、バッジやキーホルダーの付加価値をより一層、向上させるために、製作目的に応じた音声をバッジやキーホルダーから出力させる試みもなされている。近年、キーホルダーとしても用いることの可能なバッジが登場している。しかし、そのようなバッジには、ピンやクリップなどの留め具だけでなく、キーリングも設けられているので、ユーザが留め具やキーリングを邪魔に感じることもある。
【００１７】  一方、本考案では、留め具５０が本体部１０に後付けで取り付けられるようになっている。これにより、留め具５０を本体部１０に取り付けるか否かの判断をユーザが行うことができるので、留め具５０が本体部１０に最初から固定されている場合と比べて、ユーザの利便性を向上させることができる。
【００１８】  また、本考案において、キーリング部３０が本体部１０に対して着脱可能に固定されている場合には、キーリング部３０を本体部１０に取り付けるか否かの判断をユーザが行うことができる。その結果、キーリング部３０が本体部１０に着脱不能もしくは着脱困難な形態で固定されている場合と比べて、ユーザの利便性を向上させることができる。
【００１９】  また、本考案において、開口１２Ａが、裏面１２に粘着シール５１を介して留め具５０が固定されたときに粘着シール５１によって被覆されない箇所に設けられている場合には、留め具５０を、粘着シール５１を介して裏面１２に固定したときに、開口１２Ａが粘着シール５１によって完全に塞がれる可能性をなくすことができる。その結果、留め具５０の固定によって音声不具合が生じるのを避けることができる。
【符号の説明】
【００２０】  １…音声再生機能付き身飾品、１０…本体部、１１…前面、１１Ａ…窪み、１２…裏面、１２Ａ…開口、１３…周面、２０…回路部、２１…回路基板、２２…ＩＣ、２３…スイッチ、２４…スピーカ、２５…電池、３０…キーリング部、３１…リング状部材、３２…鎖状部材、４０…カバー部、５０…留め具、５１…粘着シール、５２…保護シール、６０…印刷物。
【図１】
0003207971.tif 000003
【図２】
0003207971.tif 000004